(57)【要約】【課題】中間電線の影響を排除すること。【解決手段】フィルタ回路１０は、併走させた第１電線ＷＥ１及び第２電線ＷＥ２の間でこれらの配列方向に沿って配置されるノイズ低減素子１１と、第１電線の中間接続部ＷＥａ１に組み付けられた第１回路接続部材１２と、第２電線の中間接続部ＷＥａ２に組み付けられた第２回路接続部材１３と、を備え、フィルタ回路と第１電線及び第２電線との間の電気接続状態を保持する保持構造３０は、第１電線及び第２電線の軸線方向に沿う押圧力で第１回路接続部材１２の第１回路側接点１２ｂと第２回路接続部材１３の第２回路側接点１３ｂの内の少なくとも一方をノイズ低減素子に押し付けて、軸線方向での第１回路側接点と第２回路側接点とによるノイズ低減素子の挟持状態を保持して、これらの間のそれぞれの電気接続状態を保持する押圧構造として構成すること。【選択図】図２
2020048076.tif 000002
【特許請求の範囲】
【請求項１】
併走させた第１電線及び第２電線の間に介装させるフィルタ回路と、
前記フィルタ回路並びに前記第１電線及び前記第２電線を収容する筐体と、
前記フィルタ回路と前記第１電線及び前記第２電線との間の電気接続状態を保持する保持構造と、
を備え、
前記フィルタ回路は、前記第１電線及び前記第２電線の間で前記第１電線及び前記第２電線の配列方向に沿って配置されるノイズ低減素子と、前記第１電線の芯線の中間接続部に組み付けられた導電性の第１回路接続部材と、前記第２電線の芯線の中間接続部に組み付けられた導電性の第２回路接続部材と、を備え、
前記第１回路接続部材は、前記第１電線の前記芯線の前記中間接続部に対して物理的且つ電気的に接続させた電線側接続部と、前記ノイズ低減素子の第１接続部に対して前記第１電線及び前記第２電線の軸線方向に沿って接触させて電気接続させる第１回路側接点と、を有し、
前記第２回路接続部材は、前記第２電線の前記芯線の前記中間接続部に対して物理的且つ電気的に接続させた電線側接続部と、前記ノイズ低減素子の第２接続部に対して前記軸線方向に沿って接触させて電気接続させる第２回路側接点と、を有し、
前記保持構造は、前記軸線方向に沿う押圧力で前記第１回路側接点と前記第２回路側接点の内の少なくとも一方を前記ノイズ低減素子に押し付けて、前記軸線方向での前記第１回路側接点と前記第２回路側接点とによる前記ノイズ低減素子の挟持状態を保持して、前記第１回路側接点と前記ノイズ低減素子の前記第１接続部との間及び前記第２回路側接点と前記ノイズ低減素子の前記第２接続部との間のそれぞれの電気接続状態を保持する押圧構造であることを特徴としたノイズフィルタ。
【請求項２】
前記保持構造を前記筐体に設け、
前記保持構造は、前記第１回路側接点と前記第２回路側接点の内の一方に作用させた前記軸線方向の押圧力で前記第１回路側接点と前記第２回路側接点の内の前記一方を前記ノイズ低減素子に押し付ける押圧体と、前記ノイズ低減素子を介して前記押圧体の前記押圧力が作用している前記第１回路側接点と前記第２回路側接点の内の他方を前記軸線方向で係止して前記押圧力を受ける係止体と、を備えることを特徴とした請求項１に記載のノイズフィルタ。
【請求項３】
前記保持構造を前記筐体に設け、
前記保持構造は、前記第１回路側接点と前記第２回路側接点の内の一方に作用させた前記軸線方向の押圧力で前記第１回路側接点と前記第２回路側接点の内の前記一方を前記ノイズ低減素子に押し付ける第１押圧体と、前記第１回路側接点と前記第２回路側接点の内の他方に作用させた前記軸線方向の押圧力で前記第１回路側接点と前記第２回路側接点の内の前記他方を前記ノイズ低減素子に押し付ける第２押圧体と、を備えることを特徴とした請求項１に記載のノイズフィルタ。
【請求項４】
前記フィルタ回路は、前記軸線方向で間隔を空けて互いの前記第１接続部を対向配置させた２つの前記ノイズ低減素子を備え、
前記第１回路側接点は、２つの前記ノイズ低減素子のそれぞれの前記第１接続部の間に配置し、
前記第２回路接続部材は、前記軸線方向で２つの前記ノイズ低減素子を挟み込む２つの前記第２回路側接点を有し、
２つの前記第２回路側接点は、各々、弾性変形不能な基部と、前記軸線方向で対向配置されている前記ノイズ低減素子の前記第２接続部に接触させて電気接続させる接点部と、を有し、
それぞれの前記接点部は、各々、前記基部に対する前記軸線方向の弾性変形が可能な弾性接点部として形成されたものであり、前記軸線方向で対向配置されている前記ノイズ低減素子とは逆側に弾性変形させ、かつ、その弾性変形に伴う反力を前記軸線方向の押圧力として対向配置状態の前記ノイズ低減素子の前記第２接続部に作用させるものとして形成及び配置して、前記保持構造として利用することを特徴とした請求項１に記載のノイズフィルタ。
【請求項５】
第１電線及び第２電線を含む幹線と、
ノイズ成分を低減させるノイズフィルタと、
を備え、
前記ノイズフィルタは、併走させた前記第１電線及び前記第２電線の間に介装させるフィルタ回路と、前記フィルタ回路並びに前記第１電線及び前記第２電線を収容する筐体と、前記フィルタ回路と前記第１電線及び前記第２電線との間の電気接続状態を保持する保持構造と、を備え、
前記フィルタ回路は、前記第１電線及び前記第２電線の間で前記第１電線及び前記第２電線の配列方向に沿って配置されるノイズ低減素子と、前記第１電線の芯線の中間接続部に組み付けられた導電性の第１回路接続部材と、前記第２電線の芯線の中間接続部に組み付けられた導電性の第２回路接続部材と、を備え、
前記第１回路接続部材は、前記第１電線の前記芯線の前記中間接続部に対して物理的且つ電気的に接続させた電線側接続部と、前記ノイズ低減素子の第１接続部に対して前記第１電線及び前記第２電線の軸線方向に沿って接触させて電気接続させる第１回路側接点と、を有し、
前記第２回路接続部材は、前記第２電線の前記芯線の前記中間接続部に対して物理的且つ電気的に接続させた電線側接続部と、前記ノイズ低減素子の第２接続部に対して前記軸線方向に沿って接触させて電気接続させる第２回路側接点と、を有し、
前記保持構造は、前記軸線方向に沿う押圧力で前記第１回路側接点と前記第２回路側接点の内の少なくとも一方を前記ノイズ低減素子に押し付けて、前記軸線方向での前記第１回路側接点と前記第２回路側接点とによる前記ノイズ低減素子の挟持状態を保持して、前記第１回路側接点と前記ノイズ低減素子の前記第１接続部との間及び前記第２回路側接点と前記ノイズ低減素子の前記第２接続部との間のそれぞれの電気接続状態を保持する押圧構造であることを特徴としたワイヤハーネス。
【発明の詳細な説明】
【技術分野】
【０００１】
本発明は、ノイズフィルタ及びワイヤハーネスに関する。
【背景技術】
【０００２】
従来、電線に乗った電気的なノイズを低減させるべく、そのノイズ低減対象電線にノイズフィルタを介装させる、という技術が知られている。そのノイズフィルタは、コンデンサ等のノイズ低減素子が設けられたフィルタ回路を備えており、そのフィルタ回路をノイズ低減対象電線とアース端子との間に介在させている。この種のノイズフィルタについては、例えば、下記の特許文献１及び２に開示されている。
【先行技術文献】
【特許文献】
【０００３】
【特許文献１】特開２００６−１０００６１号公報
【特許文献２】特開２０１２−０３９２０１号公報
【発明の概要】
【発明が解決しようとする課題】
【０００４】
ところで、従来のノイズフィルタは、ノイズ低減対象電線とフィルタ回路との間を別の中間電線で繋いでいる。例えば、上記特許文献１のノイズフィルタは、幹線のノイズ低減対象電線から分岐させた２本の分岐電線に対してフィルタ回路を電気的に接続して、そのノイズ低減対象電線に乗っているノイズ成分を低減させている。このため、従来のノイズフィルタは、その分岐電線などのような中間電線に乗ってしまうノイズ成分をも考慮に入れて、フィルタ回路特性（共振点やノイズ低減性能等）の調整を行う必要がある。
【０００５】
そこで、本発明は、中間電線の影響を受けることのないノイズフィルタ及びワイヤハーネスを提供することを、その目的とする。
【課題を解決するための手段】
【０００６】
上記目的を達成する為、本発明に係るノイズフィルタは、併走させた第１電線及び第２電線の間に介装させるフィルタ回路と、前記フィルタ回路並びに前記第１電線及び前記第２電線を収容する筐体と、前記フィルタ回路と前記第１電線及び前記第２電線との間の電気接続状態を保持する保持構造と、を備え、前記フィルタ回路は、前記第１電線及び前記第２電線の間で前記第１電線及び前記第２電線の配列方向に沿って配置されるノイズ低減素子と、前記第１電線の芯線の中間接続部に組み付けられた導電性の第１回路接続部材と、前記第２電線の芯線の中間接続部に組み付けられた導電性の第２回路接続部材と、を備え、前記第１回路接続部材は、前記第１電線の前記芯線の前記中間接続部に対して物理的且つ電気的に接続させた電線側接続部と、前記ノイズ低減素子の第１接続部に対して前記第１電線及び前記第２電線の軸線方向に沿って接触させて電気接続させる第１回路側接点と、を有し、前記第２回路接続部材は、前記第２電線の前記芯線の前記中間接続部に対して物理的且つ電気的に接続させた電線側接続部と、前記ノイズ低減素子の第２接続部に対して前記軸線方向に沿って接触させて電気接続させる第２回路側接点と、を有し、前記保持構造は、前記軸線方向に沿う押圧力で前記第１回路側接点と前記第２回路側接点の内の少なくとも一方を前記ノイズ低減素子に押し付けて、前記軸線方向での前記第１回路側接点と前記第２回路側接点とによる前記ノイズ低減素子の挟持状態を保持して、前記第１回路側接点と前記ノイズ低減素子の前記第１接続部との間及び前記第２回路側接点と前記ノイズ低減素子の前記第２接続部との間のそれぞれの電気接続状態を保持する押圧構造であることを特徴としている。
【０００７】
ここで、前記保持構造を前記筐体に設け、前記保持構造は、前記第１回路側接点と前記第２回路側接点の内の一方に作用させた前記軸線方向の押圧力で前記第１回路側接点と前記第２回路側接点の内の前記一方を前記ノイズ低減素子に押し付ける押圧体と、前記ノイズ低減素子を介して前記押圧体の前記押圧力が作用している前記第１回路側接点と前記第２回路側接点の内の他方を前記軸線方向で係止して前記押圧力を受ける係止体と、を備えることが望ましい。
【０００８】
また、前記保持構造を前記筐体に設け、前記保持構造は、前記第１回路側接点と前記第２回路側接点の内の一方に作用させた前記軸線方向の押圧力で前記第１回路側接点と前記第２回路側接点の内の前記一方を前記ノイズ低減素子に押し付ける第１押圧体と、前記第１回路側接点と前記第２回路側接点の内の他方に作用させた前記軸線方向の押圧力で前記第１回路側接点と前記第２回路側接点の内の前記他方を前記ノイズ低減素子に押し付ける第２押圧体と、を備えることが望ましい。
【０００９】
また、前記フィルタ回路は、前記軸線方向で間隔を空けて互いの前記第１接続部を対向配置させた２つの前記ノイズ低減素子を備え、前記第１回路側接点は、２つの前記ノイズ低減素子のそれぞれの前記第１接続部の間に配置し、前記第２回路接続部材は、前記軸線方向で２つの前記ノイズ低減素子を挟み込む２つの前記第２回路側接点を有し、２つの前記第２回路側接点は、各々、弾性変形不能な基部と、前記軸線方向で対向配置されている前記ノイズ低減素子の前記第２接続部に接触させて電気接続させる接点部と、を有し、それぞれの前記接点部は、各々、前記基部に対する前記軸線方向の弾性変形が可能な弾性接点部として形成されたものであり、前記軸線方向で対向配置されている前記ノイズ低減素子とは逆側に弾性変形させ、かつ、その弾性変形に伴う反力を前記軸線方向の押圧力として対向配置状態の前記ノイズ低減素子の前記第２接続部に作用させるものとして形成及び配置して、前記保持構造として利用することが望ましい。
【００１０】
また、上記目的を達成する為、本発明に係るワイヤハーネスは、第１電線及び第２電線を含む幹線と、ノイズ成分を低減させるノイズフィルタと、を備え、前記ノイズフィルタは、併走させた前記第１電線及び前記第２電線の間に介装させるフィルタ回路と、前記フィルタ回路並びに前記第１電線及び前記第２電線を収容する筐体と、前記フィルタ回路と前記第１電線及び前記第２電線との間の電気接続状態を保持する保持構造と、を備え、前記フィルタ回路は、前記第１電線及び前記第２電線の間で前記第１電線及び前記第２電線の配列方向に沿って配置されるノイズ低減素子と、前記第１電線の芯線の中間接続部に組み付けられた導電性の第１回路接続部材と、前記第２電線の芯線の中間接続部に組み付けられた導電性の第２回路接続部材と、を備え、前記第１回路接続部材は、前記第１電線の前記芯線の前記中間接続部に対して物理的且つ電気的に接続させた電線側接続部と、前記ノイズ低減素子の第１接続部に対して前記第１電線及び前記第２電線の軸線方向に沿って接触させて電気接続させる第１回路側接点と、を有し、前記第２回路接続部材は、前記第２電線の前記芯線の前記中間接続部に対して物理的且つ電気的に接続させた電線側接続部と、前記ノイズ低減素子の第２接続部に対して前記軸線方向に沿って接触させて電気接続させる第２回路側接点と、を有し、前記保持構造は、前記軸線方向に沿う押圧力で前記第１回路側接点と前記第２回路側接点の内の少なくとも一方を前記ノイズ低減素子に押し付けて、前記軸線方向での前記第１回路側接点と前記第２回路側接点とによる前記ノイズ低減素子の挟持状態を保持して、前記第１回路側接点と前記ノイズ低減素子の前記第１接続部との間及び前記第２回路側接点と前記ノイズ低減素子の前記第２接続部との間のそれぞれの電気接続状態を保持する押圧構造であることを特徴としている。
【発明の効果】
【００１１】
本発明に係るノイズフィルタにおいては、第１電線の中間接続部と第２電線の中間接続部との間にフィルタ回路を電気的に介在させることで、そのフィルタ回路をそれぞれの中間接続部に対して電気的に接続している。例えば、その第１電線と第２電線は、ワイヤハーネスの幹線に束ねられている。よって、このノイズフィルタは、従来のような幹線からの分岐電線（中間電線）の影響を考慮に入れたフィルタ回路特性の調整が不要になる。つまり、本発明に係るノイズフィルタは、中間電線の影響を受けることのないものとなっている。更に、本発明に係るノイズフィルタにおいては、併走状態の第１電線と第２電線に第１回路接続部材の電線側接続部と第２回路接続部材の電線側接続部とが各々予め組み付けられている。そして、このノイズフィルタにおいては、そのそれぞれの電線側接続部の間にノイズ低減素子を配置し、かつ、第１回路接続部材における第１回路側接点とノイズ低減素子の第１素子接続体との間及び第２回路接続部材における第２回路側接点とノイズ低減素子の第２素子接続体との間を軸線方向で電気接続させる。従って、このノイズフィルタは、第１電線及び第２電線の配列方向と第１電線及び第２電線の軸線方向に対する直交方向における体格の小型化を図ることができる。また、このノイズフィルタは、軸線方向で第１回路側接点とノイズ低減素子の第１素子接続体との間及び第２回路側接点とノイズ低減素子の第２素子接続体との間を電気的に接続させるので、配列方向における体格の小型化も図ることができる。また、本発明に係るワイヤハーネスは、そのようなノイズフィルタを具備するものであり、このノイズフィルタが得られる効果を奏することができる。
【図面の簡単な説明】
【００１２】
【図１】図１は、実施形態のノイズフィルタ及びワイヤハーネスを示す斜視図である。
【図２】図２は、実施形態のノイズフィルタ及びワイヤハーネスを示す平面図である。
【図３】図３は、実施形態のノイズフィルタ及びワイヤハーネスを示す分解斜視図である。
【図４】図４は、実施形態のノイズフィルタ及びワイヤハーネスを別角度から見た分解斜視図である。
【図５】図５は、実施形態の第１回路接続部材と第２回路接続部材について説明する斜視図である。
【図６】図６は、実施形態の第２筐体部材を示す斜視図である。
【図７】図７は、図２のＸ−Ｘ線断面図である。
【図８】図８は、変形例のノイズフィルタ及びワイヤハーネスを示す斜視図である。
【図９】図９は、変形例のノイズフィルタ及びワイヤハーネスを示す平面図である。
【図１０】図１０は、変形例のノイズフィルタ及びワイヤハーネスを示す分解斜視図である。
【図１１】図１１は、変形例のノイズフィルタ及びワイヤハーネスを別角度から見た分解斜視図である。
【図１２】図１２は、図９のＹ−Ｙ線断面図である。
【図１３】図１３は、変形例の第１回路接続部材を示す斜視図である。
【図１４】図１４は、変形例の第１回路接続部材を示す平面図である。
【図１５】図１５は、変形例の第２回路接続部材を示す斜視図である。
【図１６】図１６は、変形例の第１筐体部材を示す斜視図である。
【発明を実施するための形態】
【００１３】
以下に、本発明に係るノイズフィルタ及びワイヤハーネスの実施形態を図面に基づいて詳細に説明する。尚、この実施形態によりこの発明が限定されるものではない。
【００１４】
［実施形態］
本発明に係るノイズフィルタ及びワイヤハーネスの実施形態の１つを図１から図７に基づいて説明する。
【００１５】
図１から図４の符号１は、本実施形態のノイズフィルタを示す。このノイズフィルタ１は、２本の電線（第１電線ＷＥ１、第２電線ＷＥ２）の中間部分同士をフィルタ回路で繋いだノイズ低減装置であり、２本の電線の内の一方を接地させ、その内の他方に乗った電気的なノイズ成分をフィルタ回路で低減させる。その２本の電線は、例えば、車両のワイヤハーネスＷＨの幹線ＷＴが備える複数本の電線の内の２本であって、一方の電線がアース線として接地され、他方の電線が電源線として利用される。その電源線には、例えば、デフォッガやハイマウントストップランプ等の負荷が電気的に接続されている。ノイズフィルタ１は、その２本の電線に接続することによって、ワイヤハーネスＷＨの構成要素の１つとなる。以下に例示するワイヤハーネスＷＨにおいては、第１電線ＷＥ１をアース線として利用し、第２電線ＷＥ２を電源線として利用する。第１電線ＷＥ１は、一方の端部が接地されている。また、第２電線ＷＥ２は、一方の端部が電源（例えば、車両の二次電池）に対して電気的に接続され、他方の端部が負荷に対して電気的に接続されている。第１電線ＷＥ１と第２電線ＷＥ２は、各々、導電性の芯線ＷＥａと、この芯線ＷＥａの外周面を覆う絶縁性の被覆ＷＥｂと、を備える。
【００１６】
ノイズフィルタ１は、ノイズ成分を低減させるフィルタ回路１０を備えるノイズ低減装置であり（図１から図４）、例えば、第２電線ＷＥ２に乗った電気的なノイズ成分をフィルタ回路１０で低減させる。更に、このノイズフィルタ１は、そのフィルタ回路１０を収容する筐体２０を備えている（図１から図４）。このノイズフィルタ１においては、その筐体２０の収容室２０ａ（図１）に並列配置状態で第１電線ＷＥ１と第２電線ＷＥ２とを収容して、その収容室２０ａの中で第１電線ＷＥ１と第２電線ＷＥ２とを併走させる。フィルタ回路１０は、その併走させた第１電線ＷＥ１及び第２電線ＷＥ２の間に介装させる。ここでは、下記の第１電線ＷＥ１の中間接続部ＷＥａ１と第２電線ＷＥ２の中間接続部ＷＥａ２とが収容室２０ａに収容され、それぞれの中間接続部ＷＥａ１，ＷＥａ２の間にフィルタ回路１０を介装させる。また、第１電線ＷＥ１と第２電線ＷＥ２は、それぞれの両端側が筐体２０の外方に引き出される。
【００１７】
フィルタ回路１０は、第１電線ＷＥ１の中間部分に位置している芯線ＷＥａの一部分と第２電線ＷＥ２の中間部分に位置している芯線ＷＥａの一部分との間に電気的に介在させる。以下においては、その第１電線ＷＥ１の中間部分に位置している芯線ＷＥａの一部分を「中間接続部ＷＥａ１」と称し、かつ、第２電線ＷＥ２の中間部分に位置している芯線ＷＥａの一部分を「中間接続部ＷＥａ２」と称する。また、以下においては、その第１電線ＷＥ１の芯線ＷＥａの中間接続部ＷＥａ１のことを「第１電線ＷＥ１の中間接続部ＷＥａ１」と簡略化し、かつ、その第２電線ＷＥ２の芯線ＷＥａの中間接続部ＷＥａ２のことを「第２電線ＷＥ２の中間接続部ＷＥａ２」と簡略化する。つまり、このフィルタ回路１０は、第１電線ＷＥ１の中間接続部ＷＥａ１と第２電線ＷＥ２の中間接続部ＷＥａ２との間に電気的に介在させるものであり、それぞれの中間接続部ＷＥａ１，ＷＥａ２に対して電気的に接続させる（図１及び図２）。
【００１８】
フィルタ回路１０は、ノイズ成分を低減させる少なくとも１つのノイズ低減素子１１と、このノイズ低減素子１１の第１接続部（以下、「第１素子接続体」という。）及び第１電線ＷＥ１の中間接続部ＷＥａ１に電気接続される導電性の第１接続部材（以下、「第１回路接続部材」という。）１２と、そのノイズ低減素子１１の第２接続部（以下、「第２素子接続体」という。）及び第２電線ＷＥ２の中間接続部ＷＥａ２に電気接続される導電性の第２接続部材（以下、「第２回路接続部材」という。）１３と、を備える（図１から図４）。このフィルタ回路１０においては、そのノイズ低減素子１１が第１電線ＷＥ１及び第２電線ＷＥ２の間で第１電線ＷＥ１及び第２電線ＷＥ２の配列方向（並列配置方向）に沿って配置される。
【００１９】
以下において単に「軸線方向」と記した場合、それは、第１電線ＷＥ１及び第２電線ＷＥ２の軸線方向のことを示している。また、以下において単に「配列方向」と記した場合、それは、第１電線ＷＥ１及び第２電線ＷＥ２の配列方向のことを示している。
【００２０】
ノイズ低減素子１１は、このノイズフィルタ１の回路構成でノイズの低減を図り得るものであれば、如何様なものを用いてもよい。例えば、ノイズ低減素子１１としては、コンデンサやコイル等が考えられる。このフィルタ回路１０では、ノイズ低減素子１１として２つのコンデンサを備えており、この２つのコンデンサでノイズの低減を図ることができるように構成する（図１から図４）。このノイズ低減素子１１としての２つのコンデンサは、略方体状に形成されており、筐体２０に収容されているときに、配列方向で積層される。また、このノイズ低減素子１１としてのコンデンサにおいては、筐体２０に収容されているときに、軸線方向における一端に第１素子接続体としての第１外部電極が配置され、軸線方向における他端に第２素子接続体としての第２外部電極が配置される。つまり、このノイズ低減素子１１は、軸線方向にて第１素子接続体と第２素子接続体とが対向配置されている。この例示のノイズ低減素子１１は、例えば、第１素子接続体と第２素子接続体の対向配置方向を幅方向とし、その対向配置方向に対する或る１つの直交方向を奥行方向とし、その幅方向と奥行方向とに対する直交方向を厚さ方向とするものであり、その３方向の内、厚さ方向が最も薄くなっている。この例示の２つのノイズ低減素子１１は、その厚さ方向を配列方向に向けて積層させている（図１から図４）。
【００２１】
第１回路接続部材１２と第２回路接続部材１３は、ノイズ低減素子１１を介して互いを電気的に接続させる導電部材であり、２つのノイズ低減素子１１を軸線方向で挟持するものとして金属等の導電性材料で成形されている。この例示の第１回路接続部材１２と第２回路接続部材１３は、各々、金属板を母材とするプレス成形品である。
【００２２】
第１回路接続部材１２は、第１電線ＷＥ１の中間接続部ＷＥａ１に予め組み付けられ、この第１電線ＷＥ１と共に筐体２０の収容室２０ａに収容される。この第１回路接続部材１２は、第１電線ＷＥ１の中間接続部ＷＥａ１に対して物理的且つ電気的に接続させた電線側接続部１２ａと、ノイズ低減素子１１の第１素子接続体に対して軸線方向に沿って接触させて電気接続させる第１接点（以下、「第１回路側接点」という。）１２ｂと、を有する（図１から図４）。
【００２３】
この例示の電線側接続部１２ａは、間隔を空けて対向配置された２つの矩形の片部を第１電線ＷＥ１の中間接続部ＷＥａ１に巻き付けて加締め圧着させたものである（図５）。この電線側接続部１２ａは、このように第１電線ＷＥ１の中間接続部ＷＥａ１に組み付けることによって、その中間接続部ＷＥａ１に対して直接的に電気接続させる。
【００２４】
第１回路側接点１２ｂは、筐体２０に収容されているときに、軸線方向でノイズ低減素子１１の第１素子接続体に対向配置させ、かつ、その第１素子接続体に軸線方向で接触させる。そこで、この第１回路側接点１２ｂは、第１電線ＷＥ１の中間接続部ＷＥａ１に組み付けた電線側接続部１２ａから軸線方向に対する直交方向に突出させるように形成する。
【００２５】
この第１回路側接点１２ｂは、矩形の平板状の基部１２ｂ１と、ノイズ低減素子１１の第１素子接続体に電気接続させる接点部１２ｂ２と、を有する（図５）。基部１２ｂ１は、軸線方向に対する直交平面を有するものであり、筐体２０に収容されているときに、一方の直交平面を軸線方向でノイズ低減素子１１の第１素子接続体に間隔を空けて対向配置させる。接点部１２ｂ２は、その第１素子接続体との間での安定した接触荷重を得るべく、基部１２ｂ１の一方の直交平面から膨出させた膨出形状のものとして形成する。この接点部１２ｂ２は、ノイズ低減素子１１毎に設け、筐体２０に収容されているときに、軸線方向でノイズ低減素子１１の第１素子接続体に対向配置させ、かつ、その第１素子接続体に軸線方向で接触させる。
【００２６】
第２回路接続部材１３は、第２電線ＷＥ２の中間接続部ＷＥａ２に予め組み付けられ、この第２電線ＷＥ２と共に筐体２０の収容室２０ａに収容される。この第２回路接続部材１３は、第２電線ＷＥ２の中間接続部ＷＥａ２に対して物理的且つ電気的に接続させた電線側接続部１３ａと、ノイズ低減素子１１の第２素子接続体に対して軸線方向に沿って接触させて電気接続させる第２接点（以下、「第２回路側接点」という。）１３ｂと、を有する（図１から図４）。
【００２７】
この例示の電線側接続部１３ａは、電線側接続部１２ａと同様の部位であり、間隔を空けて対向配置された２つの矩形の片部を第２電線ＷＥ２の中間接続部ＷＥａ２に巻き付けて加締め圧着させたものである。この電線側接続部１３ａは、このように第２電線ＷＥ２の中間接続部ＷＥａ２に組み付けることによって、その中間接続部ＷＥａ２に対して直接的に電気接続させる。
【００２８】
第２回路側接点１３ｂは、筐体２０に収容されているときに、軸線方向でノイズ低減素子１１の第２素子接続体に対向配置させ、かつ、その第２素子接続体に軸線方向で接触させる。そこで、この第２回路側接点１３ｂは、第２電線ＷＥ２の中間接続部ＷＥａ２に組み付けた電線側接続部１３ａから軸線方向に対する直交方向に突出させるように形成する。
【００２９】
この第２回路側接点１３ｂは、矩形の平板状の基部１３ｂ１と、ノイズ低減素子１１の第２素子接続体に電気接続させる接点部１３ｂ２と、を有する（図５）。基部１３ｂ１は、軸線方向に対する直交平面を有するものであり、筐体２０に収容されているときに、一方の直交平面を軸線方向でノイズ低減素子１１の第２素子接続体に間隔を空けて対向配置させる。接点部１３ｂ２は、その第２素子接続体との間での安定した接触荷重を得るべく、基部１３ｂ１の一方の直交平面から膨出させた膨出形状のものとして形成する。この接点部１３ｂ２は、ノイズ低減素子１１毎に設け、筐体２０に収容されているときに、軸線方向でノイズ低減素子１１の第２素子接続体に対向配置させ、かつ、その第２素子接続体に軸線方向で接触させる。
【００３０】
このフィルタ回路１０においては、軸線方向にて第１回路側接点１２ｂと第２回路側接点１３ｂとでノイズ低減素子１１を挟み込み、第１回路側接点１２ｂの接点部１２ｂ２とノイズ低減素子１１の第１素子接続体とを軸線方向で接触させ、かつ、第２回路側接点１３ｂの接点部１３ｂ２とノイズ低減素子１１の第２素子接続体とを軸線方向で接触させる。これにより、このフィルタ回路１０は、第１回路側接点１２ｂを介してノイズ低減素子１１の第１素子接続体を第１電線ＷＥ１の中間接続部ＷＥａ１に電気接続させ、かつ、第２回路側接点１３ｂを介してノイズ低減素子１１の第２素子接続体を第２電線ＷＥ２の中間接続部ＷＥａ２に電気接続させる。
【００３１】
筐体２０は、合成樹脂等の絶縁性材料で成形する。この筐体２０は、フィルタ回路１０と第１電線ＷＥ１と第２電線ＷＥ２とを収容する収容室２０ａを内方に有する（図１）。その収容室２０ａには、少なくともフィルタ回路１０と第１電線ＷＥ１の中間接続部ＷＥａ１と第２電線ＷＥ２の中間接続部ＷＥａ２とが収容される。この筐体２０においては、第１電線ＷＥ１におけるそれぞれの端部側が内方の収容室２０ａから外方へと引き出され、かつ、第２電線ＷＥ２におけるそれぞれの端部側が内方の収容室２０ａから外方へと引き出される。この筐体２０は、第１筐体部材２１と第２筐体部材２２とを互いに嵌め合わせることによって、収容室２０ａを形成する。
【００３２】
この筐体２０においては、フィルタ回路１０と第１電線ＷＥ１と第２電線ＷＥ２とを第１筐体部材２１に設置し、その第１筐体部材２１に対して第２筐体部材２２を嵌合させる。第１筐体部材２１と第２筐体部材２２は、軸線方向と配列方向とに対する直交方向に沿って嵌合させる。以下においては、その直交方向のことを「嵌合方向」と称する。
【００３３】
第１筐体部材２１は、主壁体２１ａと、この主壁体２１ａの周縁部から立設させた複数の周壁体２１ｂ−２１ｅと、を有する（図３）。この例示の第１筐体部材２１は、矩形の平板状の主壁体２１ａと、この主壁体２１ａの４つの辺部から各々同じ向きに垂設させた平板状の第１から第４の周壁体２１ｂ−２１ｅと、を有している。この第１筐体部材２１では、第１周壁体２１ｂと第２周壁体２１ｃとが対向配置され、第３周壁体２１ｄと第４周壁体２１ｅとが対向配置されている。この第１筐体部材２１においては、主壁体２１ａと第１から第４の周壁体２１ｂ−２１ｅとで囲まれた空間が収容室２０ａとなり、その収容室２０ａにフィルタ回路１０と第１電線ＷＥ１と第２電線ＷＥ２とが開口２１ｆから収容される。その開口２１ｆとは、第１から第４の周壁体２１ｂ−２１ｅの縁部で矩形に形成される収容室２０ａの開口のことである。
【００３４】
第２筐体部材２２は、その収容室２０ａの開口２１ｆを塞ぐべく用意されている。この第２筐体部材２２は、第１筐体部材２１との組付けが完了している状態で開口２１ｆを塞ぐ閉塞壁体２２ａを有する（図３及び図４）。また、この第２筐体部材２２は、その閉塞壁体２２ａの周縁部から立設させた複数の周壁体２２ｂ−２２ｅを有する（図４）。この例示の第２筐体部材２２は、矩形の平板状の閉塞壁体２２ａと、この閉塞壁体２２ａの４つの辺部から各々同じ向きに垂設させた平板状の第１から第４の周壁体２２ｂ−２２ｅと、を有している。この第２筐体部材２２では、第１周壁体２２ｂと第２周壁体２２ｃとが対向配置され、第３周壁体２２ｄと第４周壁体２２ｅとが対向配置されている。
【００３５】
この例示の筐体２０においては、第１筐体部材２１と第２筐体部材２２との組付けが完了しているときに、それぞれの第１周壁体２１ｂ，２２ｂ同士を対向配置させ、かつ、それぞれの第２周壁体２１ｃ，２２ｃ同士を対向配置させ、かつ、それぞれの第３周壁体２１ｄ，２２ｄ同士を対向配置させ、かつ、それぞれの第４周壁体２１ｅ，２２ｅ同士を対向配置させる。
【００３６】
この筐体２０においては、対向配置状態の第１周壁体２１ｂ，２２と対向配置状態の第２周壁体２１ｃ，２２ｃから第１電線ＷＥ１と第２電線ＷＥ２とを外方に引き出させる。そこで、それぞれの第１周壁体２１ｂ，２２ｂには、各々、第１電線ＷＥ１の一方の端部側を外方に引き出させる第１引出口２１ｂ１，２２ｂ１と、第２電線ＷＥ２の一方の端部側を外方に引き出させる第２引出口２１ｂ２，２２ｂ２と、が形成されている（図３及び図４）。それぞれの第１周壁体２１ｂ，２２ｂにおいては、第１引出口２１ｂ１，２２ｂ１同士を対向配置させ、かつ、第２引出口２１ｂ２，２２ｂ２同士を対向配置させる。また、それぞれの第２周壁体２１ｃ，２２ｃには、各々、第１電線ＷＥ１の他方の端部側を外方に引き出させる第３引出口２１ｃ１，２２ｃ１と、第２電線ＷＥ２の他方の端部側を外方に引き出させる第４引出口２１ｃ２，２２ｃ２と、が形成されている（図３及び図４）。それぞれの第２周壁体２１ｃ，２２ｃにおいては、第３引出口２１ｃ１，２２ｃ１同士を対向配置させ、かつ、第４引出口２１ｃ２，２２ｃ２同士を対向配置させる。
【００３７】
この筐体２０においては、２つのノイズ低減素子１１と、第１回路接続部材１２が組み付けられた第１電線ＷＥ１の中間接続部ＷＥａ１と、第２回路接続部材１３が組み付けられた第２電線ＷＥ２の中間接続部ＷＥａ２と、が開口２１ｆから収容室２０ａに収容される。その第１電線ＷＥ１と第２電線ＷＥ２の収容に際して、第１筐体部材２１においては、第１電線ＷＥ１が第１引出口２１ｂ１と第３引出口２１ｃ１とに挿入され、第２電線ＷＥ２が第２引出口２１ｂ２と第４引出口２１ｃ２とに挿入される。筐体２０においては、開口２１ｆを塞ぎ、かつ、第１電線ＷＥ１を第１引出口２２ｂ１と第３引出口２２ｃ１とに挿入させると共に、第２電線ＷＥ２を第２引出口２２ｂ２と第４引出口２２ｃ２とに挿入させるように、第２筐体部材２２を第１筐体部材２１に組み付ける。例えば、このノイズフィルタ１は、第１電線ＷＥ１及び第２電線ＷＥ２と共に幹線ＷＴに粘着テープ（図示略）等で固定して、その幹線ＷＴに抱きかかえさせる。これにより、第１電線ＷＥ１と第２電線ＷＥ２へのノイズフィルタ１の取り付けが完了する。
【００３８】
ここで、このノイズフィルタ１には、フィルタ回路１０と第１電線ＷＥ１及び第２電線ＷＥ２との間の電気接続状態を保持するための保持構造３０を設けている（図１から図４）。その保持構造３０は、軸線方向に沿う押圧力で第１回路接続部材１２の第１回路側接点１２ｂと第２回路接続部材１３の第２回路側接点１３ｂの内の少なくとも一方をノイズ低減素子１１に押し付ける押圧構造である。この保持構造３０は、その押圧力による押し付けに伴い、軸線方向での第１回路側接点１２ｂと第２回路側接点１３ｂとによるノイズ低減素子１１の挟持状態を保持し、これにより、第１回路側接点１２ｂとノイズ低減素子１１の第１素子接続体との間及び第２回路側接点１３ｂとノイズ低減素子１１の第２素子接続体との間のそれぞれの電気接続状態を保持するものとして形成する。
【００３９】
具体的に、本実施形態のノイズフィルタ１においては、保持構造３０を筐体２０に設ける。本実施形態の保持構造３０は、第１回路側接点１２ｂと第２回路側接点１３ｂの内の一方に作用させた軸線方向の押圧力で第１回路側接点１２ｂと第２回路側接点１３ｂの内の一方をノイズ低減素子１１に押し付ける押圧体３１と、ノイズ低減素子１１を介して押圧体３１の押圧力が作用している第１回路側接点１２ｂと第２回路側接点１３ｂの内の他方を軸線方向で係止して押圧力を受ける係止体３２と、を備える（図１及び図２）。本実施形態の保持構造３０においては、押圧体３１と係止体３２の内の一方を第１筐体部材２１に設け、その内の他方を第２筐体部材２２に設ける。
【００４０】
この例示では、押圧体３１を第２筐体部材２２に設け（図１、図２、図４、図６及び図７）、係止体３２を第１筐体部材２１に設けている（図１から図３及び図７）。また、この例示では、第２回路側接点１３ｂをノイズ低減素子１１に押し付けるものとして押圧体３１が設けられ、押圧体３１からの押圧力が伝えられてきた第１回路側接点１２ｂを係止するものとして係止体３２が設けられている。
【００４１】
この例示の押圧体３１は、第２筐体部材２２の閉塞壁体２２ａの内壁面から立設させた弾性変形不能な基部３１ａと、この基部３１ａに連接された弾性変形可能な押圧部３１ｂと、を有する（図２、図６及び図７）。
【００４２】
この例示の基部３１ａは、閉塞壁体２２ａの内壁面側を固定端とする片持ち形状の矩形の片部として形成されたものである。この基部３１ａは、第１筐体部材２１と第２筐体部材２２との組付けが完了しているときに、軸線方向で第２回路側接点１３ｂの基部１３ｂ１における他方の直交平面に間隔を空けて対向配置される。ここでは、それぞれの基部１３ｂ１，３１ａの直交平面同士を対向配置させる。
【００４３】
一方、この例示の押圧部３１ｂは、第１筐体部材２１と第２筐体部材２２との組付けが完了しているときに、軸線方向で第２回路側接点１３ｂの基部１３ｂ１における他方の直交平面に対向配置させ、その他方の直交平面に弾性変形状態で接触させる。この押圧部３１ｂは、基部３１ａの自由端側を固定端とする片持ち形状の弾性片部として形成されたものであり、軸線方向でそれぞれの基部１３ｂ１，３１ａの間に介在させる。
【００４４】
この例示では、第１回路接続部材１２が収容室２０ａに収容されているときに、第１筐体部材２１の第２周壁体２１ｃが軸線方向で第１回路側接点１２ｂの基部１２ｂ１に対向配置されている。そこで、この例示では、その第２周壁体２１ｃを係止体３２として利用する。ここでは、第２周壁体２１ｃにおける第３引出口２１ｃ１と第４引出口２１ｃ２の間の内壁面に、第１回路側接点１２ｂの基部１２ｂ１における他方の直交平面を係止させる。
【００４５】
本実施形態の保持構造３０においては、第１筐体部材２１と第２筐体部材２２の組付けが始まり、その組付け動作が進むと、押圧体３１の押圧部３１ｂが第２回路側接点１３ｂの基部１３ｂ１における他方の直交平面に接触し、かつ、第１回路側接点１２ｂの基部１２ｂ１が係止体３２によって係止状態となる。この保持構造３０においては、その組付け動作が更に進むことで、係止体３２からの反力が押圧体３１の押圧部３１ｂに伝わり、その押圧部３１ｂが弾性域内で撓みながら第２回路側接点１３ｂの基部１３ｂ１に軸線方向の押圧力を作用させる。
【００４６】
この保持構造３０においては、第１筐体部材２１と第２筐体部材２２との組付けが完了しているときに、押圧体３１と係止体３２とが軸線方向で第１回路側接点１２ｂの基部１２ｂ１と第２回路側接点１３ｂの基部１３ｂ１とを挟持し、その挟持状態を保ち続けることができる。これにより、フィルタ回路１０においては、第１回路側接点１２ｂの接点部１２ｂ２と第２回路側接点１３ｂの接点部１３ｂ２とでのノイズ低減素子１１の挟持状態を保ち続けることができる。よって、このフィルタ回路１０においては、第１回路側接点１２ｂの接点部１２ｂ２とノイズ低減素子１１の第１素子接続体との間及び第２回路側接点１３ｂの接点部１３ｂ２とノイズ低減素子１１の第２素子接続体との間の電気的な接続状態を保ち続けることができる。そして、これに伴い、このフィルタ回路１０は、ノイズ低減素子１１の第１素子接続体と第１電線ＷＥ１の中間接続部ＷＥａ１との間の電気接続状態を保つことができ、かつ、ノイズ低減素子１１の第２素子接続体と第２電線ＷＥ２の中間接続部ＷＥａ２との間の電気接続状態を保つことができる。従って、本実施形態のノイズフィルタ１は、フィルタ回路１０と第１電線ＷＥ１及び第２電線ＷＥ２との間の通電品質を向上させることができる。
【００４７】
以上示した本実施形態のノイズフィルタ１は、中間電線の影響を受けることのないものとなっている。つまり、従来のノイズフィルタは、前述したように、ノイズ低減対象電線とフィルタ回路との間に中間電線を介在させている。その中間電線は、ノイズフィルタへの組付け作業性や車両への配索経路等を考慮して、長さに関する許容公差が大きく取られている。このため、従来のノイズフィルタは、その長さに応じた中間電線のノイズ成分をも考慮に入れて、フィルタ回路特性（共振点やノイズ低減性能等）の調整を行う必要がある。しかしながら、本実施形態のノイズフィルタ１においては、ワイヤハーネスＷＨの幹線ＷＴに束ねられている第１電線ＷＥ１の中間接続部ＷＥａ１と第２電線ＷＥ２の中間接続部ＷＥａ２との間にフィルタ回路１０を電気的に介在させることで、そのフィルタ回路１０をそれぞれの中間接続部ＷＥａ１，ＷＥａ２に対して電気的に接続している。よって、このノイズフィルタ１は、従来のような幹線からの分岐電線（中間電線）の影響を考慮に入れたフィルタ回路特性の調整が不要になる。即ち、このノイズフィルタ１は、中間電線の影響を受けることのないものとなっている。
【００４８】
更に、本実施形態のノイズフィルタ１においては、併走状態の第１電線ＷＥ１と第２電線ＷＥ２に第１回路接続部材１２の電線側接続部１２ａと第２回路接続部材１３の電線側接続部１３ａとが各々予め組み付けられている。そして、このノイズフィルタ１においては、そのそれぞれの電線側接続部１２ａ，１３ａの間にノイズ低減素子１１を配置し、かつ、第１回路接続部材１２における第１回路側接点１２ｂの接点部１２ｂ２とノイズ低減素子１１の第１素子接続体との間及び第２回路接続部材１３における第２回路側接点１３ｂの接点部１３ｂ２とノイズ低減素子１１の第２素子接続体との間を軸線方向で電気接続させる。従って、このノイズフィルタ１は、嵌合方向（第１電線ＷＥ１及び第２電線ＷＥ２の配列方向と第１電線ＷＥ１及び第２電線ＷＥ２の軸線方向に対する直交方向）における体格の小型化を図ることができる。また、このノイズフィルタ１は、軸線方向で第１回路側接点１２ｂの接点部１２ｂ２とノイズ低減素子１１の第１素子接続体との間及び第２回路側接点１３ｂの接点部１３ｂ２とノイズ低減素子１１の第２素子接続体との間を電気的に接続させるので、配列方向における体格の小型化も図ることができる。
【００４９】
また更に、このノイズフィルタ１は、ノイズ低減素子１１を軸線方向で第１回路接続部材１２の第１回路側接点１２ｂと第２回路接続部材１３の第２回路側接点１３ｂとの間に挟持させることによって、第１回路側接点１２ｂの接点部１２ｂ２とノイズ低減素子１１の第１素子接続体との間及び第２回路側接点１３ｂの接点部１３ｂ２とノイズ低減素子１１の第２素子接続体との間の電気的な接続を図っている。そして、このノイズフィルタ１は、その電気的な接続状態を保持構造３０で保ち続けることができる。このため、このノイズフィルタ１の電気的な接続構造は、従来のような雌雄の端子部の嵌合構造となっているものと比較して、小型化が可能になる。よって、このノイズフィルタ１は、軸線方向における体格の大型化を抑えることができる。また、そのような従来の接続構造は形状如何で原価の高騰を招く虞があるが、このノイズフィルタ１は、そのような簡便な接続構造であるが故に、原価の高騰を抑えることができる。
【００５０】
また更に、本実施形態のノイズフィルタ１は、一方の端部を接地させる第１電線ＷＥ１の中間接続部ＷＥａ１に対してフィルタ回路１０を電気的に接続させるので、例えば、幹線ＷＴの周囲に接地可能な導電体が存在しておらずとも、また、自らの設置対象物が合成樹脂等の絶縁性材料で成形されていたとしても、容易にアースを取ることができる。つまり、従来のノイズフィルタは、導電性の設置対象物に取り付けた際に当該設置対象物にアース端子を接続することによって、その設置対象物を介してアースを取っている。よって、従来のノイズフィルタにおいては、アース端子と設置対象物との固定作業を容易にするために、アース端子を筐体から食み出させている。しかしながら、このノイズフィルタ１は、そのようなアース端子を備えずとも、アースを取ることができる。従って、このノイズフィルタ１は、体格の小型化や軽量化を図ることができる。
【００５１】
また、本実施形態のワイヤハーネスＷＨは、そのようなノイズフィルタ１を具備するものであり、このノイズフィルタ１が得られる効果を奏することができる。
【００５２】
ところで、保持構造３０は、図示しないが、係止体３２を押圧体３１に置き換えて、２つの押圧体３１で第１回路側接点１２ｂの基部１２ｂ１と第２回路側接点１３ｂの基部１３ｂ１とを挟持させ、その挟持状態を保持させ続けるものとして構成してもよい。つまり、保持構造３０は、第１回路側接点１２ｂと第２回路側接点１３ｂの内の一方に作用させた軸線方向の押圧力で第１回路側接点１２ｂと第２回路側接点１３ｂの内の一方をノイズ低減素子１１に押し付ける第１押圧体３１と、第１回路側接点１２ｂと第２回路側接点１３ｂの内の他方に作用させた軸線方向の押圧力で第１回路側接点１２ｂと第２回路側接点１３ｂの内の他方をノイズ低減素子１１に押し付ける第２押圧体３１と、を備えるものであってもよい。本実施形態のノイズフィルタ１及びワイヤハーネスＷＨは、このような保持構造３０を用いたとしても、先の例示と同様の効果を得ることができる。
【００５３】
［変形例］
図８から図１２の符号２は、本変形例のノイズフィルタを示す。また、その各図のＷＨは、本変形例のワイヤハーネスを示す。このノイズフィルタ２とワイヤハーネスＷＨは、前述した実施形態のノイズフィルタ１において、フィルタ回路１０を下記のフィルタ回路１１０）に置き換え、かつ、筐体２０を下記の筐体１２０に置き換えたものである（図８から図１２）。
【００５４】
本変形例のフィルタ回路１１０は、実施形態のフィルタ回路１０と同様に、少なくとも１つのノイズ低減素子１１と第１回路接続部材１１２と第２回路接続部材１１３とを備える（図８から図１２）。
【００５５】
本変形例のフィルタ回路１１０は、実施形態のフィルタ回路１０と同様に、ノイズ低減素子１１としての２つの略方体状のコンデンサを備えている。但し、その２つのノイズ低減素子１１は、筐体１２０に収容されているときに、軸線方向で間隔を空けて互いの第１素子接続体を対向配置させた状態で積層させている（図８から図１２）。この例示の２つのノイズ低減素子１１は、実施形態のフィルタ回路１０と同様に、最も薄くなっている厚さ方向を配列方向に向けて積層させている（図８から図１１）。
【００５６】
第１回路接続部材１１２及び第２回路接続部材１１３は、実施形態の第１回路接続部材１２及び第２回路接続部材１３と同じように、ノイズ低減素子１１を介して互いを電気的に接続させる導電部材であり、金属板を母材にしてプレス成形されている。
【００５７】
第１回路接続部材１１２は、第１回路接続部材１２と同じように、第１電線ＷＥ１の中間接続部ＷＥａ１に予め組み付けられ、この第１電線ＷＥ１と共に筐体１２０の収容室１２０ａに収容される。この第１回路接続部材１１２は、第１電線ＷＥ１の中間接続部ＷＥａ１に対して物理的且つ電気的に接続させた電線側接続部１１２ａと、ノイズ低減素子１１の第１素子接続体に対して軸線方向に沿って接触させて電気接続させる第１接点（以下、「第１回路側接点」という。）１１２ｂと、を有する（図８から図１１）。
【００５８】
この例示の電線側接続部１１２ａは、第１回路接続部材１２の電線側接続部１２ａと同様の形状のものとして形成されている。よって、この例示の第１回路接続部材１１２は、その電線側接続部１１２ａを第１電線ＷＥ１の中間接続部ＷＥａ１に加締め圧着させて組み付けることによって、その中間接続部ＷＥａ１に対して直接的に電気接続させる（図１３及び図１４）。
【００５９】
一方、この例示の第１回路側接点１１２ｂは、筐体１２０に収容されているときに、２つのノイズ低減素子１１のそれぞれの第１素子接続体の間に配置して、そのそれぞれの第１素子接続体に対して軸線方向で接触させる。そこで、この例示の第１回路接続部材１１２においては、第１電線ＷＥ１の中間接続部ＷＥａ１に組み付けた電線側接続部１１２ａから第１回路側接点１１２ｂを軸線方向に対する直交方向に突出させるように形成する（図１３）。
【００６０】
この例示の第１回路側接点１１２ｂは、２枚の対向配置された矩形の平板１１２ｂ１１を有するＵ字状の基部１１２ｂ１と、ノイズ低減素子１１毎の２つの接点部１１２ｂ２と、を有する（図１３及び図１４）。基部１１２ｂ１のそれぞれの平板１１２ｂ１１は、軸線方向に対する直交平面を有するものである。この基部１１２ｂ１においては、筐体１２０に収容されているときに、一方の平板１１２ｂ１１における一方の直交平面を一方のノイズ低減素子１１の第１素子接続体に間隔を空けて対向配置させ、かつ、他方の平板１１２ｂ１１における一方の直交平面を他方のノイズ低減素子１１の第１素子接続体に間隔を空けて対向配置させる。接点部１１２ｂ２は、一方の平板１１２ｂ１１における一方の直交平面と一方のノイズ低減素子１１の第１素子接続体との間及び他方の平板１１２ｂ１１における一方の直交平面と他方のノイズ低減素子１１の第１素子接続体との間に少なくとも１つずつ設ける。接点部１１２ｂ２は、第１素子接続体との間での安定した接触荷重を得るべく、基部１１２ｂ１の一方の直交平面から膨出させた膨出形状のものとして形成する。
【００６１】
第２回路接続部材１１３は、第２回路接続部材１３と同じように、第２電線ＷＥ２の中間接続部ＷＥａ２に予め組み付けられ、この第２電線ＷＥ２と共に筐体２０の収容室２０ａに収容される。この第２回路接続部材１１３は、第２電線ＷＥ２の中間接続部ＷＥａ２に対して物理的且つ電気的に接続させた電線側接続部１１３ａと、軸線方向で２つのノイズ低減素子１１を挟み込み、その２つのノイズ低減素子１１の第２素子接続体に対して軸線方向に沿って各々接触させて電気接続させる２つの第２接点（以下、「第２回路側接点」という。）１１３ｂと、を有する（図８から図１２）。
【００６２】
この例示の電線側接続部１１３ａは、第２回路接続部材１３の電線側接続部１３ａと同様の部位であり、間隔を空けて対向配置された２つの矩形の片部を第２電線ＷＥ２の中間接続部ＷＥａ２に巻き付けて加締め圧着させたものである。この電線側接続部１１３ａは、このように第２電線ＷＥ２の中間接続部ＷＥａ２に組み付けることによって、その中間接続部ＷＥａ２に対して直接的に電気接続させる。
【００６３】
第２回路側接点１１３ｂは、第２回路接続部材１３の第２回路側接点１３ｂと同じように、筐体１２０に収容されているときに、軸線方向でノイズ低減素子１１の第２素子接続体に対向配置させ、かつ、その第２素子接続体に軸線方向で接触させる。そこで、この第２回路側接点１１３ｂは、第２電線ＷＥ２の中間接続部ＷＥａ２に組み付けた電線側接続部１１３ａから軸線方向に対する直交方向に突出させるように形成する。この例示の第２回路側接点１１３ｂは、その電線側接続部１１３ａの軸線方向における両端から突出させている。そして、その２つの第２回路側接点１１３ｂは、軸線方向で２つのノイズ低減素子１１を挟持させるものとして形成する。
【００６４】
この第２回路側接点１１３ｂは、矩形の平板状の弾性変形不能な基部１１３ｂ１と、軸線方向で対向配置されているノイズ低減素子１１の第２素子接続体に接触させて電気接続させる接点部１１３ｂ２と、を有する（図８、図９、図１２及び図１５）。
【００６５】
基部１１３ｂ１は、軸線方向に対する直交平面を有するものであり、筐体１２０に収容されているときに、一方の直交平面を軸線方向でノイズ低減素子１１の第２素子接続体に間隔を空けて対向配置させる。
【００６６】
接点部１１３ｂ２は、軸線方向で対向配置されているノイズ低減素子１１の第２素子接続体との間での安定した接触荷重を得るべく、基部１１３ｂ１に対する軸線方向の弾性変形が可能な弾性接点部として形成する。この例示の接点部１１３ｂ２は、筐体１２０に収容されているときに、軸線方向で基部１１３ｂ１とノイズ低減素子１１の第２素子接続体との間に配置する。この接点部１１３ｂ２は、軸線方向で対向配置されているノイズ低減素子１１の第２素子接続体とは逆側（つまり、自らが連なる基部１１３ｂ１側）に弾性変形させ、かつ、その弾性変形に伴う反力を軸線方向の押圧力として対向配置状態のノイズ低減素子１１の第２素子接続体に作用させるものとして形成及び配置して、実施形態の保持構造３０と同様の保持構造１３０として利用する（図８、図９、図１２及び図１５）。つまり、２つの第２回路側接点１１３ｂのそれぞれの接点部１１３ｂ２は、そのような弾性変形状態で軸線方向にて２つのノイズ低減素子１１のそれぞれの第２素子接続体を挟持させるべく形成及び配置することによって、保持構造３０と同様の保持構造１３０として作用させることができる。これにより、第２回路接続部材１１３においては、２つの第２回路側接点１１３ｂのそれぞれの接点部１１３ｂ２を各々の対向配置状態のノイズ低減素子１１の第２素子接続体に対して軸線方向で接触させることができる。
【００６７】
このフィルタ回路１１０においては、軸線方向で第２回路接続部材１１３における２つの第２回路側接点１１３ｂのそれぞれの接点部１１３ｂ２が２つのノイズ低減素子１１を挟持することによって、接点部１１３ｂ２を対向配置状態のノイズ低減素子１１の第２素子接続体に電気接続させ、かつ、第１回路接続部材１１２における第１回路側接点１１２ｂの接点部１１２ｂ２を対向配置状態のノイズ低減素子１１の第１素子接続体に電気接続させることができる。よって、このフィルタ回路１１０は、第１回路接続部材１１２を介して２つのノイズ低減素子１１のそれぞれの第１素子接続体を第１電線ＷＥ１の中間接続部ＷＥａ１に電気接続させ、かつ、第２回路接続部材１１３を介して２つのノイズ低減素子１１のそれぞれの第２素子接続体を第２電線ＷＥ２の中間接続部ＷＥａ２に電気接続させることができる。
【００６８】
更に、このフィルタ回路１１０においては、軸線方向で第２回路接続部材１１３における２つの第２回路側接点１１３ｂのそれぞれの接点部１１３ｂ２が２つのノイズ低減素子１１を挟持することによって、第１回路接続部材１１２と一方の第２回路接続部材１１３との間に一方のノイズ低減素子１１を挟持し続けることができ、かつ、第１回路接続部材１１２と他方の第２回路接続部材１１３との間に他方のノイズ低減素子１１を挟持し続けることができる。よって、このフィルタ回路１１０は、２つのノイズ低減素子１１のそれぞれの第１素子接続体と第１電線ＷＥ１の中間接続部ＷＥａ１との間の電気接続状態を保つことができ、かつ、２つのノイズ低減素子１１のそれぞれの第２素子接続体と第２電線ＷＥ２の中間接続部ＷＥａ２との間の電気接続状態を保つことができる。従って、本変形例のノイズフィルタ２は、フィルタ回路１１０と第１電線ＷＥ１及び第２電線ＷＥ２との間の通電品質を向上させることができる。
【００６９】
筐体１２０は、合成樹脂等の絶縁性材料で成形する。この筐体１２０は、実施形態の筐体２０と同様に、第１筐体部材１２１と第２筐体部材１２２とを互いに嵌め合わせることによって、収容室１２０ａを形成する（図８）。この筐体１２０においては、フィルタ回路１１０と第１電線ＷＥ１と第２電線ＷＥ２とを第１筐体部材１２１に設置し、その第１筐体部材１２１に対して第２筐体部材１２２を嵌合させる。
【００７０】
第１筐体部材１２１は、実施形態の第１筐体部材２１と同様に、矩形の平板状の主壁体１２１ａと、この主壁体１２１ａの４つの辺部から各々同じ向きに垂設させた平板状の第１から第４の周壁体１２１ｂ−１２１ｅと、を有している（図１０）。この第１筐体部材１２１においては、主壁体１２１ａと第１から第４の周壁体１２１ｂ−１２１ｅとで囲まれた空間が収容室１２０ａとなり、その収容室１２０ａにフィルタ回路１１０と第１電線ＷＥ１と第２電線ＷＥ２とが開口１２１ｆから収容される。
【００７１】
この例示の第１筐体部材１２１においては、例えば、２つのノイズ低減素子１１と第１回路接続部材１１２及び第１電線ＷＥ１の組付け体とを収容室１２０ａに収容した上で、その収容室１２０ａに第２回路接続部材１１３及び第２電線ＷＥ２の組付け体を収容しながら、その第２回路接続部材１１３の２つの第２回路側接点１１３ｂのそれぞれの接点部１１３ｂ２で２つのノイズ低減素子１１を挟み込んでいく。
【００７２】
そこで、この例示の第１筐体部材１２１には、２つの第２回路側接点１１３ｂのそれぞれの接点部１１３ｂ２で２つのノイズ低減素子１１を挟持する際に、接点部１１３ｂ２からの押圧力によりノイズ低減素子１１を第１筐体部材１２１に対して軸線方向に相対移動させることが可能なガイド部１２１ｇを設けている（図９及び図１６）。そのガイド部１２１ｇは、主壁体１２１ａの内壁面に設け、２つのノイズ低減素子１１の厚さ方向の２つの壁面を配列方向で係止するための２つの立て壁１２１ｇ１を有している。それぞれの立て壁１２１ｇ１は、軸線方向に延在させることで、２つのノイズ低減素子１１を軸線方向へと案内する。ここで、この例示のガイド部１２１ｇは、２つのノイズ低減素子１１を収容室１２０ａへと収容した際に、その２つのノイズ低減素子１１の収容室１２０ａ内での位置決めを図るためのものとしても利用できる。
【００７３】
第２筐体部材１２２は、収容室１２０ａの開口１２１ｆを塞ぐべく用意されている。この第２筐体部材１２２は、実施形態の第２筐体部材２２と同様に、矩形の平板状の閉塞壁体１２２ａと、この閉塞壁体１２２ａの４つの辺部から各々同じ向きに垂設させた平板状の第１から第４の周壁体１２２ｂ−１２２ｅと、を有している（図１１）。
【００７４】
この例示の筐体１２０においては、第１筐体部材１２１と第２筐体部材１２２との組付けが完了しているときに、それぞれの第１周壁体１２１ｂ，１２２ｂ同士を対向配置させ、かつ、それぞれの第２周壁体１２１ｃ，１２２ｃ同士を対向配置させ、かつ、それぞれの第３周壁体１２１ｄ，１２２ｄ同士を対向配置させ、かつ、それぞれの第４周壁体１２１ｅ，１２２ｅ同士を対向配置させる。
【００７５】
この筐体１２０においては、対向配置状態の第１周壁体１２１ｂ，１２２と対向配置状態の第２周壁体１２１ｃ，１２２ｃから第１電線ＷＥ１と第２電線ＷＥ２とを外方に引き出させる。そこで、それぞれの第１周壁体１２１ｂ，１２２ｂには、各々、第１電線ＷＥ１の一方の端部側を外方に引き出させる第１引出口１２１ｂ１，１２２ｂ１と、第２電線ＷＥ２の一方の端部側を外方に引き出させる第２引出口１２１ｂ２，１２２ｂ２と、が形成されている（図１０及び図１１）。それぞれの第１周壁体１２１ｂ，１２２ｂにおいては、第１引出口１２１ｂ１，１２２ｂ１同士を対向配置させ、かつ、第２引出口１２１ｂ２，１２２ｂ２同士を対向配置させる。また、それぞれの第２周壁体１２１ｃ，１２２ｃには、各々、第１電線ＷＥ１の他方の端部側を外方に引き出させる第３引出口１２１ｃ１，１２２ｃ１と、第２電線ＷＥ２の他方の端部側を外方に引き出させる第４引出口１２１ｃ２，１２２ｃ２と、が形成されている（図１０及び図１１）。それぞれの第２周壁体１２１ｃ，１２２ｃにおいては、第３引出口１２１ｃ１，１２２ｃ１同士を対向配置させ、かつ、第４引出口１２１ｃ２，１２２ｃ２同士を対向配置させる。
【００７６】
この筐体１２０においても、収容室２０ａには、２つのノイズ低減素子１１と、第１回路接続部材１１２が組み付けられた第１電線ＷＥ１の中間接続部ＷＥａ１と、第２回路接続部材１１３が組み付けられた第２電線ＷＥ２の中間接続部ＷＥａ２と、が開口１２１ｆから収容される。その第１電線ＷＥ１と第２電線ＷＥ２の収容に際して、第１筐体部材２１においては、第１電線ＷＥ１が第１引出口１２１ｂ１と第３引出口１２１ｃ１とに挿入され、第２電線ＷＥ２が第２引出口１２１ｂ２と第４引出口１２１ｃ２とに挿入される。その際には、先に示したように、先ずは２つのノイズ低減素子１１と第１回路接続部材１１２及び第１電線ＷＥ１の組付け体とが収容室１２０ａに収容され、その後、その収容室１２０ａに第２回路接続部材１１３及び第２電線ＷＥ２の組付け体が収容されていく。しかる後、筐体１２０においては、開口１２１ｆを塞ぎ、かつ、第１電線ＷＥ１を第１引出口１２２ｂ１と第３引出口１２２ｃ１とに挿入させると共に、第２電線ＷＥ２を第２引出口１２２ｂ２と第４引出口１２２ｃ２とに挿入させるように、第２筐体部材２２を第１筐体部材２１に組み付ける。例えば、このノイズフィルタ２は、第１電線ＷＥ１及び第２電線ＷＥ２と共に幹線ＷＴに粘着テープ（図示略）等で固定して、その幹線ＷＴに抱きかかえさせる。これにより、第１電線ＷＥ１と第２電線ＷＥ２へのノイズフィルタ２の取り付けが完了する。
【００７７】
以上示した本変形例のノイズフィルタ２は、実施形態のノイズフィルタ１と同様の効果を得ることができる。更に、本変形例のノイズフィルタ２は、第２回路接続部材１１３に保持構造１３０の機能を持たせているので、実施形態のノイズフィルタ１よりも筐体１２０の構造を簡易化できるので、原価の低減が可能になる。また、本変形例のワイヤハーネスＷＨは、そのようなノイズフィルタ２を具備するものであり、このノイズフィルタ２が得られる効果を奏することができる。
【符号の説明】
【００７８】
１，２  ノイズフィルタ
１０，１１０  フィルタ回路
１１  ノイズ低減素子
１２  第１回路接続部材
１２ａ  電線側接続部
１２ｂ  第１回路側接点
１３  第２回路接続部材
１３ａ  電線側接続部
１３ｂ  第２回路側接点
２０，１２０  筐体
３０  保持構造
３１  押圧体
３２  係止体
１１２  第１回路接続部材
１１２ａ  電線側接続部
１１２ｂ  第１回路側接点
１１３  第２回路接続部材
１１３ａ  電線側接続部
１１３ｂ  第２回路側接点
１１３ｂ１  基部
１１３ｂ２  接点部
１３０  保持構造
ＷＥ１  第１電線
ＷＥａ１  中間接続部
ＷＥ２  第２電線
ＷＥａ２  中間接続部
ＷＥａ  芯線
ＷＨ  ワイヤハーネス
ＷＴ  幹線
【図１】
2020048076.tif 000003
【図２】
2020048076.tif 000004
【図３】
2020048076.tif 000005
【図４】
2020048076.tif 000006
【図５】
2020048076.tif 000007
【図６】
2020048076.tif 000008
【図７】
2020048076.tif 000009
【図８】
2020048076.tif 000010
【図９】
2020048076.tif 000011
【図１０】
2020048076.tif 000012
【図１１】
2020048076.tif 000013
【図１２】
2020048076.tif 000014
【図１３】
2020048076.tif 000015
【図１４】
2020048076.tif 000016
【図１５】
2020048076.tif 000017
【図１６】
2020048076.tif 000018